(57)【要約】【課題】入浴者に不快感が生じなく、かつ、貯水部に溜まる水の量を確保し加湿量を確保することができることを目的とする。【解決手段】液体供給手段は、液体を移送し貯水部に液体を供給する給水管を介した定流量弁とを設け、定流量弁にカバー２０を設け、カバー２０に３本のリブ１９を設けたという構成にしたことにより、定流量弁からの水が３本のリブ１９のうち中央のリブに接し伝わって貯水部に流れるので、入浴者に不快感が生じなく、かつ、貯水部に溜まる水の量を確保し加湿量を確保することができるミストサウナ機能付浴室暖房乾燥機を得られる。【選択図】図３
2014180394.tif 000002
【特許請求の範囲】
【請求項１】
吸込口と排気口を有する本体ケースと、この本体ケース内の前記吸込口と前記排気口を結ぶ風路に設けた加熱手段および送風手段と、この送風手段と前記排気口間の風路内に設けた液体微細化手段とを備え、前記液体微細化手段は、垂直方向に配置され設けた回転手段と、前記回転手段の下部に設けた貯水部を一対の壁を有したミストケースと、前記貯水部に液体を供給する液体供給手段と、前記回転手段は、上下方向に向けて配置した回転軸と、この回転軸を回転させる回転モータと、前記回転軸に固定されるとともに前記貯水部から水を吸上げる揚水管と、この揚水管の外面の前記回転軸の軸方向に所定間隔で固定された複数の回転板とを有し、前記液体供給手段は、液体を移送し前記貯水部に液体を供給する給水管を介した定流量弁とを設け、前記定流量弁にカバーを設け、前記カバーに３本のリブを設けたことを特徴とするミストサウナ機能付浴室暖房乾燥機。
【請求項２】
３本のリブの中央のリブの下端を、ミストケースの壁面の下方へいくに従い傾斜させたことを特徴とする請求項１に記載のミストサウナ機能付浴室暖房乾燥機。
【請求項３】
定流量弁の給水口と前記の中央のリブの先端が接することを特徴とする請求項１に記載のミストサウナ機能付浴室暖房乾燥機。
【請求項４】
３本のリブの両側のリブは前記の中央のリブに平行なリブを設けたことを特徴とする請求項１に記載のミストサウナ機能付浴室暖房乾燥機。
【請求項５】
両側のリブの先端を定流量弁の給水口より突出させることを特徴とする請求項４に記載のミストサウナ機能付浴室暖房乾燥機。
【発明の詳細な説明】
【技術分野】
【０００１】
本発明は、液体微細化装置とそれを用いたサウナ装置に関するものである。
【背景技術】
【０００２】
従来、この種のミストサウナ機能付浴室暖房乾燥機は、液体微細化手段は、上方および下方に開口部を有する筒状の経路と、筒状の経路内に設けた回転手段と、筒状の経路の下部に貯水部を有し、回転手段は、上下方向に向けて配置した回転軸と、回転軸に固定されるとともに貯水部から水を吸上げる揚水管と、この外面の回転軸の軸方向に所定間隔で固定された複数の回転板を設け、熱交換器を貯水部の直下近傍まで伸長させて設けたものが知られていた（例えば、特許文献１参照）。
【先行技術文献】
【特許文献】
【０００３】
【特許文献１】特開２０１２−２５００１５号公報
【発明の概要】
【発明が解決しようとする課題】
【０００４】
このような従来のミストサウナ機能付浴室暖房乾燥機においては、貯水部に定流量弁から水を給水する時循環風に水が当たってその大粒の水が吹出口から吹き出され入浴者に当たって不快感が生じ、また、貯水部に溜まる水の量が少なくなり加湿量が減少する、という課題を有していた。
【０００５】
そこで本発明は、上記従来の課題を解決するものであり、入浴者に不快感が生じなく、かつ、貯水部に溜まる水の量を確保し加湿量を確保することができるミストサウナ機能付浴室暖房乾燥機を提供することを目的とする。
【課題を解決するための手段】
【０００６】
そして、この目的を達成するために、本発明は、吸込口と排気口を有する本体ケースと、この本体ケース内の前記吸込口と前記排気口を結ぶ風路に設けた加熱手段および送風手段と、この送風手段と前記排気口間の風路内に設けた液体微細化手段とを備え、前記液体微細化手段は、垂直方向に配置され、上方開口部および下方開口部を有する筒状の経路と、この筒状の経路内に設けた回転手段と、前記筒状の経路の下部に設けた貯水部を一対の壁を有したミストケースと、前記貯水部に液体を供給する液体供給手段と、前記回転手段は、上下方向に向けて配置した回転軸と、この回転軸を回転させる回転モータと、前記回転軸に固定されるとともに前記貯水部から水を吸上げる揚水管と、この揚水管の外面の前記回転軸の軸方向に所定間隔で固定された複数の回転板とを有し、前記液体供給手段は、液体を移送し前記貯水部に液体を供給する給水管を介した定流量弁とを設け、前記定流量弁にカバーを設け、前記カバーに３本のリブを設けたこととしたものであり、これにより所期の目的を達成するものである。
【発明の効果】
【０００７】
本発明によれば、吸込口と排気口を有する本体ケースと、この本体ケース内の前記吸込口と前記排気口を結ぶ風路に設けた加熱手段および送風手段と、この送風手段と前記排気口間の風路内に設けた液体微細化手段とを備え、前記液体微細化手段は、垂直方向に配置され、上方開口部および下方開口部を有する筒状の経路と、この筒状の経路内に設けた回転手段と、前記筒状の経路の下部に設けた貯水部を一対の壁を有したミストケースと、前記貯水部に液体を供給する液体供給手段と、前記回転手段は、上下方向に向けて配置した回転軸と、この回転軸を回転させる回転モータと、前記回転軸に固定されるとともに前記貯水部から水を吸上げる揚水管と、この揚水管の外面の前記回転軸の軸方向に所定間隔で固定された複数の回転板とを有し、前記液体供給手段は、液体を移送し前記貯水部に液体を供給する給水管を介した定流量弁とを設け、前記定流量弁にカバーを設け、前記カバーに３本のリブを設けた、という構成にしたことにより、定流量弁からの水が中央のリブに接し伝わって貯水部に流れることとなるので、入浴者に不快感が生じなく、かつ、貯水部に溜まる水の量を確保し加湿量を確保することができ、という効果を得ることができる。
【図面の簡単な説明】
【０００８】
【図１】本発明の実施の形態１のミストサウナ機能付浴室暖房乾燥機を浴室に設置した状態を示す斜視図
【図２】同ミストサウナ機能付浴室暖房乾燥機の側面構成図
【図３】同ミストサウナ機能付浴室暖房乾燥機の定流量弁カバーを示す斜視図
【発明を実施するための形態】
【０００９】
本発明の請求項１記載のミストサウナ機能付浴室暖房乾燥機は、吸込口と排気口を有する本体ケースと、この本体ケース内の前記吸込口と前記排気口を結ぶ風路に設けた加熱手段および送風手段と、この送風手段と前記排気口間の風路内に設けた液体微細化手段とを備え、前記液体微細化手段は、垂直方向に配置され、上方開口部および下方開口部を有する筒状の経路と、この筒状の経路内に設けた回転手段と、前記筒状の経路の下部に設けた貯水部を一対の壁を有したミストケースと、前記貯水部に液体を供給する液体供給手段と、前記回転手段は、上下方向に向けて配置した回転軸と、この回転軸を回転させる回転モータと、前記回転軸に固定されるとともに前記貯水部から水を吸上げる揚水管と、この揚水管の外面の前記回転軸の軸方向に所定間隔で固定された複数の回転板とを有し、前記液体供給手段は、液体を移送し前記貯水部に液体を供給する給水管を介した定流量弁とを設け、前記定流量弁にカバーを設け、前記カバーに３本のリブを設けた、という構成を有する。
【００１０】
これにより、定流量弁からの水が中央のリブに接し伝わって貯水部に流れることとなるので、入浴者に不快感が生じなく、かつ、貯水部に溜まる水の量を確保し加湿量を確保することができる、という効果を奏する。
【００１１】
また、３本のリブの中央のリブの下端を、ミストケースの壁面の下方へいくに従い傾斜させたという構成にしてもよい。
【００１２】
これにより、定流量弁からの水が中央のリブの下端の傾斜に沿って伝わって貯水部に流れることとなるので、定流量弁からの水を確実に貯水部へ導くことができる、という効果を奏する。
【００１３】
また、定流量弁の給水口と前記の中央のリブの先端が接する、という構成にしてもよい。
【００１４】
これにより、定流量弁からの水が中央のリブの先端に伝わって貯水部に流れることとなるので、定流量弁からの水を確実にリブへ導くことができる、という効果を奏する。
【００１５】
また、３本のリブの両側のリブは前記の中央のリブに平行なリブを設けた、という構成にしてもよい。
【００１６】
これにより、中央のリブに沿って流れる水が両側のリブによって風の流れの影響を受けないので、水が確実にリブに沿って流せることができる、という効果を奏する。
【００１７】
また、両側のリブの先端を定流量弁の給水口より突出させる、という構成にしてもよい。
【００１８】
これにより、両側のリブの先端部分に風が当たることとなるので、定水量弁の給水口から出る水が風の影響を受けることを防ぐことができる、という効果を奏する。
【００１９】
以下、本発明の実施の形態について図面を参照しながら説明する。
【００２０】
（実施の形態１）
図１に示すように、浴室１は浴槽２と、浴槽２と壁などで分断されていない空間である洗い場空間３を備え、天井面４には点検口５および開口部６があり、浴室１の天井裏空間にミストサウナ機能付浴室暖房乾燥機を形成する本体ケース７を設け、開口部６を介して浴室１に連通している。
【００２１】
なお、図１に示す点検口５は洗い場空間３の直上、開口部６は浴槽２の直上に位置している。
【００２２】
図２、３に示すように、ミスト機能付浴室暖房乾燥機は、浴室１（図１参照）の天井面４（図１参照）にパネル１０が設置され、吸込口８と排気口９を有する方形状の耐熱性の良いＡＢＳ等の樹脂製の本体ケース７と、この本体ケース７内の吸込口８と排気口９を結ぶ風路２１に設けた加熱手段としての第１熱交換器１１と第２熱交換器１２および送風手段としてのシロッコファンである循環ファン１３と、この送風手段としての循環ファン１３と排気口９との間の風路２１内に設けた液体微細化手段としての加湿部１４とを備え、液体微細化手段としての加湿部１４は、垂直方向に配置され設けた回転手段２２と、回転手段２２の下部に設けた樹脂製の貯水部２３を一対の壁を有したミストケース２４と、樹脂製の貯水部２３に液体を供給する液体供給手段としての給水口１６と、回転手段２２は、上下方向に向けて配置した回転軸２５と、この回転軸２５を回転させる回転モータ２６と、回転軸２５に固定されるとともに貯水部２３から水を吸上げる揚水管２７と、この揚水管２７の外面の回転軸２５の軸方向に所定間隔で固定された複数の回転板２８（図示せず）とを有し、液体供給手段としての給水口１６は、液体を移送し貯水部２３に液体を供給する給水管（図示せず）を介した定流量弁（図示せず）とを設け、前記定流量弁にカバー２０を設け、カバー２０に３本のリブ１９を設けた、という構成を有する。
【００２３】
また、加湿部１４と第２熱交換器１２との間に大粒の水滴を取り除くエリミネータ１５を設ける構成とする。
【００２４】
また、ミスト機能付浴室暖房乾燥機は、本体ケース７の点検口５側の外部に浴室１の空気を屋外に排出する換気手段としての換気ファンモータ１７を備えた換気部１８をねじ止めさせて設け、換気部１８と本体ケース７を連通し、連通する開口形状（開口面積に相当）を調節するダンパ２８を備え、浴室１の換気を行うことができる。
【００２５】
なお、貯水部２３の形状は、上方は方形状で最下部は水が溜まる凹状の窪みで、上方から下方に行くに従い傾斜状になっており、具体的な説明は省略するが、加湿部１４の揚水管２７の先端が前記窪み底面の近傍（６ｍｍ程度）に配置し水を吸い上げる構造となっておる。
【００２６】
これにより、定流量弁からの水が樹脂製の３本のリブ１９のうち中央のリブに接し伝わって貯水部２３に流れることとなるので、入浴者に不快感が生じなく、かつ、貯水部２３に溜まる水の量を確保して加湿量を確保することができる、という効果を奏する。
【００２７】
また、３本のリブの中央のリブの下端を、ミストケース２４の壁面（図示せず）の下方へいくに従い傾斜させたという構成にしてもよい。
【００２８】
なお、傾斜の角度は、水が重力で流れる程度の傾斜ならどんなの角度でもよい。
【００２９】
これにより、定流量弁からの水が３本のリブ１９のうち中央のリブの下端の傾斜に沿って伝わって貯水部２３に流れることとなるので、定流量弁からの水を確実に貯水部２３へ導くことができる、という効果を奏する。
【００３０】
また、定流量弁の給水口１６と３本のリブ１９のうち中央のリブの先端が接する、という構成にしてもよい。
【００３１】
これにより、定流量弁からの水が３本のリブ１９のうち中央のリブの先端に伝わって貯水部２３に流れることとなるので、定流量弁からの水を確実にリブへ導くことができる、という効果を奏する。
【００３２】
また、３本のリブ１９の両側のリブは３本のリブ１９のうち中央のリブに平行なリブを設けた、という構成にしてもよい。
【００３３】
これにより、３本のリブ１９のうち中央のリブに沿って流れる水が両側のリブによって風の流れの影響を受けないので、水が確実に３本のリブ１９のうち中央のリブに沿って流せることができる、という効果を奏する。
【００３４】
なお、３本のリブ１９のうち中央のリブに平行なリブを設けたとしたが、３本のリブ１９のうち中央のリブに沿って流れる水が両側のリブによって風の流れの影響を受けない程度に、両側のリブを中央のリブに対して傾斜させてもよい。
【００３５】
また、３本のリブ１９のうち両側のリブの先端を定流量弁の給水口１６より突出させる、という構成にしてもよい。
【００３６】
これにより、３本のリブ１９のうち両側のリブの先端部分に風が当たることとなるので、定水量弁の給水口１６から出る水が風の影響を受けることを防ぐことができる、という効果を奏する。
【００３７】
突出の長さは、給水口１６が風の影響を受けない程度の長さなら、どんな長さでもよい。
【産業上の利用可能性】
【００３８】
本発明にかかるミストサウナ機能付浴室暖房乾燥機は、暖房装置と加湿装置を一体に設けた空気調和装置の用途にも適用できる。
【符号の説明】
【００３９】
１    浴室
２    浴槽
３    洗い場空間
４    天井面
５    点検口
６    開口部
７    本体ケース
８    吸込口
９    排気口
１０  パネル
１１  第１熱交換器
１２  第２熱交換器
１３  循環ファン
１４  加湿部
１５  エリミネータ
１６  給水口
１７  換気ファンモータ
１８  換気部
１９  ３本のリブ
２０  カバー
２１  風路
２２  回転手段
２３  貯水部
２４  ミストケース
２５  回転軸
２６  回転モータ
２７  揚水管
２８  ダンパ
【図１】
2014180394.tif 000003
【図２】
2014180394.tif 000004
【図３】
2014180394.tif 000005